(57)【要約】【課題】原稿に任意のページを挿入する際に、挿入箇所や、挿入ページをユーザが指定することが可能な画像形成装置を提供することを課題とする。【解決手段】印刷用画像データに基づいて画像を形成する画像形成装置１において、ページ単位の原稿画像データにページ単位で挿入する挿入画像データ及び前記挿入画像データの挿入位置を選択設定する挿入モード設定画面５０と、前記設定手段による設定に基づいて前記挿入画像データを前記原稿画像データの所定ページ毎に挿入して前記印刷用画像データを生成する制御部３２とを備えたことを特徴とする。【選択図】図２
2007182022.tif 000002
【特許請求の範囲】
【請求項１】
印刷用画像データに基づいて画像を形成する画像形成手段を備えた画像形成装置において、
ページ単位の原稿画像データにページ単位で挿入する挿入画像データ及び前記挿入画像データの挿入位置を選択設定する設定手段と、
前記設定手段による設定に基づいて前記挿入画像データを前記原稿画像データの所定ページ毎に挿入して前記印刷用画像データを生成する生成手段とを備えたことを特徴とする画像形成装置。
【請求項２】
前記生成手段は、前記原稿画像データの１ページ毎に前記挿入画像データを挿入することを特徴とする請求項１に記載の画像形成装置。
【請求項３】
前記設定手段は、前記原稿画像データの挿入を開始する開始位置及び挿入を終了する終了位置を設定することを特徴とする請求項１又は請求項２に記載の画像形成装置。
【請求項４】
前記設定手段は、前記挿入画像データとして前記原稿画像データを設定することを特徴とする請求項１から請求項３のいずれか一項に記載の画像形成装置。
【請求項５】
前記挿入画像データが予め記憶された記憶部を備えたことを特徴とする請求項１から請求項４のいずれか一項に記載の画像形成装置。
【請求項６】
前記挿入画像データは空白のデータであることを特徴とする請求項１から請求項５のいずれか一項に記載の画像形成装置。
【請求項７】
印刷用画像データに基づいて画像を形成する画像形成装置と通信可能に接続されたコンピュータに、
ページ単位の原稿画像データにページ単位で挿入する挿入画像データ及び前記挿入画像データの挿入位置を選択設定する設定機能と、
前記原稿画像データの所定ページ毎に前記挿入画像データを挿入して前記印刷用画像データを生成する生成機能とを実現させるためのプログラム。
【請求項８】
前記生成機能は、前記原稿画像データの１ページ毎に前記挿入画像データを挿入することを特徴とする請求項７に記載のプログラム。
【請求項９】
前記設定機能は、前記原稿画像データの挿入を開始する開始位置及び挿入を終了する終了位置を設定することを特徴とする請求項７又は請求項８に記載のプログラム。
【請求項１０】
前記設定機能は、前記挿入画像データとして前記原稿画像データを設定することを特徴とする請求項７から請求項９のいずれか一項に記載のプログラム。
【請求項１１】
前記挿入画像データは、前記コンピュータに予め記憶された挿入画像データであることを特徴とする請求項７から請求項１０のいずれか一項に記載のプログラム。
【請求項１２】
前記挿入画像データは空白のデータであることを特徴とする請求項７から請求項１１のいずれか一項に記載のプログラム。
【発明の詳細な説明】
【技術分野】
【０００１】
本発明は、画像形成装置及びプログラムに係り、詳細には、原稿に任意のページを挿入した画像を記録媒体上に形成する画像形成装置及びプログラムに関する。
【背景技術】
【０００２】
近年、原稿の画像を記録媒体上に形成する画像形成手段と、画像形成手段により画像が形成された記録媒体にパンチ処理、ステープル処理等の後処理を施す後処理手段とを備えた画像形成装置が提供されている。
【０００３】
このような画像形成装置を用いて作成され、講習会や発表会などでの配布される配布用資料には、原稿のページの他に、例えばメモページのような原稿以外のページが挿入されていることがある。このような資料を作成するには、予め作成された原稿に、原稿以外のページを必要な箇所に挿入するという手間が必要となり、作業に時間がかかるという問題点を有している。
【０００４】
そこで、原稿画像に基づいて、１つのプリントジョブで、例えば、配布用資料としては、原稿ページに、原稿以外のページを自動挿入した印刷物を作成し、発表等に使うプレゼンテーション用資料としては、原稿画像以外のページを挿入しない印刷物を作成するというような、複数の異なる出力を可能とする技術が公開されている（例えば、特許文献１参照）。
【特許文献１】特開２００２−１４７９７号公報
【発明の開示】
【発明が解決しようとする課題】
【０００５】
しかしながら、特許文献１のように、配布用資料にのみ原稿以外のページを挿入する技術は、挿入するページのデータや原稿の挿入箇所をユーザが指定することができないという問題を有している。
【０００６】
また、原稿の指定したページの後に、予め画像形成装置に読み込んだ画像データを挿入ページとして挿入する技術は公知であるが、原稿の１ページ毎に繰り返して挿入ページを挿入することができないという問題を有している。
【０００７】
本発明は、前記した点に鑑みてなされたもので、原稿に任意のページを挿入する際に、挿入箇所や、挿入ページをユーザが指定することが可能な画像形成装置を提供することを課題とするものである。
【課題を解決するための手段】
【０００８】
このような課題を解決するために、請求項１に記載の発明は、
印刷用画像データに基づいて画像を形成する画像形成手段を備えた画像形成装置において、
ページ単位の原稿画像データにページ単位で挿入する挿入画像データ及び前記挿入画像データの挿入位置を選択設定する設定手段と、
前記設定手段による設定に基づいて前記挿入画像データを前記原稿画像データの所定ページ毎に挿入して前記印刷用画像データを生成する生成手段とを備えたことを特徴とする。
【０００９】
請求項２に記載の発明は、請求項１に記載の画像形成装置において、前記生成手段は、前記原稿画像データの１ページ毎に前記挿入画像データを挿入することを特徴とする。
【００１０】
請求項３に記載の発明は、請求項１又は請求項２に記載の画像形成装置において、前記設定手段は、前記原稿画像データの挿入を開始する開始位置及び挿入を終了する終了位置を設定することを特徴とする。
【００１１】
請求項４に記載の発明は、請求項１から請求項３のいずれか一項に記載の画像形成装置において、前記設定手段は、前記挿入画像データとして前記原稿画像データを設定することを特徴とする。
【００１２】
請求項５に記載の発明は、請求項１から請求項４のいずれか一項に記載の画像形成装置において、前記挿入画像データが予め記憶された記憶部を備えたことを特徴とする。
【００１３】
請求項６に記載の発明は、請求項１から請求項５のいずれか一項に記載の画像形成装置において、前記挿入画像データは空白のデータであることを特徴とする。
【００１４】
請求項７に記載の発明は、
印刷用画像データに基づいて画像を形成する画像形成装置と通信可能に接続されたコンピュータに、
ページ単位の原稿画像データにページ単位で挿入する挿入画像データ及び前記挿入画像データの挿入位置を選択設定する設定機能と、
前記原稿画像データの所定ページ毎に前記挿入画像データを挿入して前記印刷用画像データを生成する生成機能とを実現させるためのプログラムである。
【００１５】
請求項８に記載の発明は、請求項７に記載のプログラムにおいて、前記生成機能は、前記原稿画像データの１ページ毎に前記挿入画像データを挿入することを特徴とする。
【００１６】
請求項９に記載の発明は、請求項７又は請求項８に記載のプログラムにおいて、前記設定機能は、前記原稿画像データの挿入を開始する開始位置及び挿入を終了する終了位置を設定することを特徴とする。
【００１７】
請求項１０に記載の発明は、請求項７から請求項９のいずれか一項に記載のプログラムにおいて、前記設定機能は、前記挿入画像データとして前記原稿画像データを設定することを特徴とする。
【００１８】
請求項１１に記載の発明は、請求項７から請求項１０のいずれか一項に記載のプログラムにおいて、前記挿入画像データは、前記コンピュータに予め記憶された挿入画像データであることを特徴とする。
【００１９】
請求項１２に記載の発明は、請求項７から請求項１１のいずれか一項に記載のプログラムにおいて、前記挿入画像データは空白のデータであることを特徴とする。
【発明の効果】
【００２０】
請求項１に記載の発明によれば、入力された画像データの後に挿入画像データを所定のページ毎に挿入することが容易にできるので、予め用意された原稿にページを挿入し、講習会や発表会等で配布する資料を容易に作成することができる効果を奏する。
【００２１】
請求項２に記載の発明によれば、入力された画像データの後に挿入画像データを１ページ毎に挿入することが容易にできるので、予め用意された原稿にページを挿入し、講習会や発表会等で配布する資料を容易に作成することができる効果を奏する。
【００２２】
請求項３に記載の発明によれば、入力された画像データに任意の画像データを挿入するページは、任意に指定できるので、ユーザの要望に応じて必要な箇所のみにメモ用のページを挿入することができる効果を奏する。
【００２３】
請求項４に記載の発明によれば、挿入する画像データとして、入力された画像データの任意のページを選択することができるので、入力された画像データから挿入する画像データをユーザの要望に応じて選択することができる効果を奏する。
【００２４】
請求項５に記載の発明によれば、挿入する画像データとして、予め記憶部に記憶された画像を用いることができるので、ユーザの要望に応じて挿入する画像データを選択することができる効果を奏する。
【００２５】
請求項６に記載の発明によれば、挿入する画像データとして、白紙を用いることができるので、ユーザの要望に応じて挿入する画像データを選択することができる効果を奏する。
【００２６】
請求項７に記載の発明によれば、入力された画像データの後に挿入画像データを所定のページ毎に挿入することが容易にできるので、予め用意された原稿にページを挿入し、講習会や発表会等で配布する資料を容易に作成することができる効果を奏する。
【００２７】
請求項８に記載の発明によれば、入力された画像データの後に挿入画像データを１ページ毎に挿入することが容易にできるので、予め用意された原稿にページを挿入し、講習会や発表会等で配布する資料を容易に作成することができる効果を奏する。
【００２８】
請求項９に記載の発明によれば、入力された画像データに任意の画像データを挿入するページは、任意に指定できるので、ユーザの要望に応じて必要な箇所のみにメモ用のページを挿入することができる効果を奏する。
【００２９】
請求項１０に記載の発明によれば、挿入する画像データとして、入力された画像データの任意のページを選択することができるので、入力された画像データから挿入する画像データをユーザの要望に応じて選択することができる効果を奏する。
【００３０】
請求項１１に記載の発明によれば、挿入する画像データとして、予め記憶部に記憶された画像を用いることができるので、ユーザの要望に応じて挿入する画像データを選択することができる効果を奏する。
【００３１】
請求項１２に記載の発明によれば、挿入する画像データとして、白紙を用いることができるので、ユーザの要望に応じて挿入する画像データを選択することができる効果を奏する。
【発明を実施するための最良の形態】
【００３２】
以下、本発明に係る画像形成装置の実施形態について詳細に説明する。
本発明に係る画像形成装置は、原稿から画像を読み取り、記録媒体に読み取った画像を形成し、また、画像形成装置とネットワークを介して接続されている操作装置から画像データを受信し、受信した画像データを元に記録媒体Ｐに画像を形成する画像形成手段と、画像が形成された記録媒体にパンチ処理、ステープル処理等を施す後処理手段とを備えたデジタル複合機である。ここで、画像とは、図形や写真等のイメージデータに限らず、文字や記号等のテキストデータ等も含む意である。
【００３３】
図１は、本発明に係る画像形成装置１の概略構成を示す断面図である。
【００３４】
図１に示すように、画像形成装置１には、画像形成装置１を外部画像形成装置として遠隔操作する外部装置２がネットワークＮを介して通信可能に接続されている。外部装置２には、印刷時に設定される各種設定条件及び画像データを画像形成装置１が処理可能な言語にデータ変換をするプリンタドライバを備えており、プリンタドライバにより変換されたデータを画像形成装置１に送信するようになっている。外部装置２としては、例えば、汎用のＰＣ等の情報処理装置が適用可能である。
【００３５】
更に、画像形成装置１には、各種設定条件を入力させるタッチパネルにより構成された操作部３が設けられている。操作部３には、各種設定画面や各種処理結果等を表示させるＬＣＤ（Liquid Crystal Display）４（図２参照）や、その他図示しない操作キー群が設けられている。
【００３６】
また、画像形成装置１には、画像データを出力する際の処理条件を設定するファイル、画像を形成した記録媒体の後処理条件を設定するファイル等が保存されている大容量のＨＤＤ（Hard Disk Drive）部５が設けられている。
【００３７】
画像形成装置１には、原稿の画像を読み取る画像読取部６が、設けられている。
画像読取部６には、自動紙送り機構であるＡＤＦ（Auto Document Feeder）部７が設けられており、このＡＤＦ部７により原稿台８に配置された原稿が自動搬送されるようになっている。
また、画像読取部６には、ＡＤＦ部７により搬送された原稿を読み取るスキャナ部９が設けられている。スキャナ部９には、スキャナ部９により露光走査された原稿の反射光を光電変換するＣＣＤ（Charge Coupled Devices）１０が設けられており、ＣＣＤ１０によって原稿画像データが生成されるようになっている。
画像読取部６により読み取られた原稿画像データには、各種画像処理が施され、印刷用画像データとしてＨＤＤ部５に保存されるようになっている。
【００３８】
また、画像形成装置１には、印刷用画像データに基づく画像を記録媒体Ｐに形成するプリンタ部１１が設けられている。
プリンタ部１１は、電子写真方式により記録媒体である印刷用紙に画像形成を行うものであり、記録媒体Ｐを収容する給紙ユニット１２、給紙ユニット１２から給紙された記録媒体Ｐを搬送する搬送部１３、記録媒体Ｐに画像を形成する画像形成部１４とから構成されている。
給紙ユニット１２には、複数の給紙カセット１５と手差しトレイ１６により構成されている。各給紙カセット１５には、給紙カセット１５毎に普通紙、裏紙、再生紙、上質紙等の用紙種及びサイズが異なる記録媒体Ｐが収容されている。また、手差しトレイ１６には、様々な種類の記録媒体Ｐを、ユーザの要望に合わせて搭載することが可能となっている。
搬送部１３には、複数の搬送ローラ１７が設けられており、給紙カセット１５又は手差しトレイ１６に搭載された記録媒体Ｐを最上部から一枚ずつ画像形成部１４に搬送するようになっている。
画像形成部１４には、静電潜像が形成される感光体ドラム１８、感光体ドラム１８に帯電させる帯電装置１９、画像データに基づいて感光体ドラム表面に露光走査する露光部（図示略）、感光ドラムにトナーを付着させる現像部２１、感光ドラム上に形成されたトナー像を印刷用紙に転写する転写部２２、感光ドラム上の残トナーを除去するクリーニング部２３、印刷用紙上に形成されたトナー像を定着させる定着部２４が、設けられている。
【００３９】
また、画像形成装置１には、画像が形成された記録媒体Ｐに各種後処理を施す後処理ユニット２５が、設けられている。後処理ユニット２５には、図２に示すように、画像が形成された記録媒体Ｐにステープル処理を施すステープル２６、画像が形成された記録媒体Ｐにパンチ（穴あけ）処理を施すパンチ２７が備えられており、小冊子の作成や製本を行うことが可能である。
【００４０】
次に、図２を参照しつつ、本発明における画像形成装置１の制御構成について説明する。
【００４１】
図２に示すように、画像形成装置１は、原稿から印刷画像データを生成して記録媒体Ｐに画像を形成する本体部２８と、画像が形成された記録媒体Ｐに後処理をする後処理ユニット２５の駆動を制御する後処理部２９と、画像形成装置１を外部プリンタとして使用するときに、外部装置２から画像形成装置１に入力されるプリントジョブの管理及び制御をするプリンタコントローラ部３０とから構成されており、これに基づいて制御構成について説明する。
【００４２】
本体部２８には、操作部３と、操作部３を制御する操作制御部３１とから構成されている操作部３が設けられている。操作制御部３１によって、操作部３によりＬＣＤ４に表示された各種設定画面から入力された信号が制御部３２（後述）に出力されたり、又、制御部３２から入力される信号に基づいてＬＣＤ４に表示させたりするようになっている。
【００４３】
また、本体部２８には、原稿の画像を読み取るスキャナ部９が設けられている。スキャナ部９には、ＣＣＤ１０と、ＡＤＦ部７及びＣＣＤ１０を制御してＡＤＦ部７に載置された原稿面に露光走査を実行するスキャナ制御部３３とが設けられている。
【００４４】
さらに、本体部２８には、画像読取部６により取得した原稿の原稿画像データに各種処理を施して印刷用画像データを生成してプリンタ部１１に出力するまでの動作を制御する制御部３２が設けられている。
制御部３２には、画像形成に係る各種プログラム及びデータ等が記憶されるＨＤＤ部５が設けられている。このＨＤＤ部５には、プリンタ部１１を介して画像が形成された記録媒体Ｐに施す後処理を後処理２９に設定するためのデータ、各種プログラムで処理されたデータ、各種プログラムで用いられるデータ等が、記憶されるようになっている。この各種プログラムで用いられるデータには、挿入ページとして用いる画像データ等が含まれる。
ＨＤＤ部５には、ＣＰＵ（Central Processing Unit）等から構成され、画像形成装置１の各部を集中制御する画像制御部３４が接続されており、画像制御部３４によりＨＤＤ部５に格納されている各種処理プログラムに従って画像形成装置１の各部の動作が集中制御されるようになっている。例えば、この画像制御部３４により、操作部３や外部装置２から入力される信号に従い、ＨＤＤ部５に記憶されている処理プログラムを読み出し、原稿画像データや印刷用画像データの生成、印刷等の制御が行われるようになっている。
また、画像制御部３４は、スキャナ制御部３３、操作制御部３１、プリンタ制御部３５（後述）の各部と、シリアル通信をするようになっている。このシリアル通信を介して、画像制御部３４は、１ページ毎に所定画像データを挿入した出力や、複数ページを１ページに集約した出力（Ｎｉｎ１）を制御するようになっている。
【００４５】
画像制御部３４には、画像制御部３４からの指示に従い、印刷用画像データの圧縮処理、及び圧縮画像データの伸長処理を制御するＤＲＡＭ（Dynamic Random Access Memory）制御ＩＣ３６が接続されている。
【００４６】
また、制御部３２には、ＣＣＤ１０と接続している読取処理部３７が設けられており、読取処理部３７によって、原稿画像データに各処理を施して印刷用画像データが生成されるようになっている。
読取処理部３７には、読取処理部３７により生成された印刷用画像データに圧縮処理を施す圧縮ＩＣ３８が接続されている。また、この圧縮ＩＣ３８には、ＤＲＡＭ制御ＩＣ３６が接続されている。
【００４７】
ＤＲＡＭ制御ＩＣ３６には、ＤＲＡＭにより構成される画像メモリ３９が接続されている。画像メモリ３９には、圧縮ＩＣ３８により圧縮された印刷用画像データを格納する圧縮メモリ４０と、伸長ＩＣ４１（後述）により伸長処理が施された印刷用画像データをプリント出力前に一時的に格納するページメモリ４２とが備えられている。
【００４８】
また、ＤＲＡＭ制御ＩＣ３６には、圧縮メモリ４０に格納されている圧縮された印刷用画像データに伸長処理を施す伸長ＩＣ４１が接続されている。伸長ＩＣ４１により伸長処理を施された印刷用画像データは、ＤＲＡＭ制御ＩＣ３６によってページメモリ４２に格納されるようになっている。
伸長ＩＣ４１には、ＤＲＡＭ制御ＩＣ３６によりページメモリ４２から読み出された印刷用画像データが入力される書込処理部４３が接続されており、書込処理部４３にて印刷用画像データがプリンタ部１１にて用いられるプリント画像データに変換されるようになっている。
【００４９】
本体部２８には、書込処理部４３と接続された画像形成部１４と、画像制御部３４からの指示に従って画像形成部１４の動作を制御するプリンタ制御部３５とから構成されているプリンタ部１１が設けられている。プリンタ制御部３５の制御により、書込処理部４３から画像形成部１４に入力されたプリント画像データに基づいて記録媒体Ｐに画像が形成されるようになっている。
【００５０】
本体部２８には、画像が形成された記録媒体Ｐに後処理する後処理部２９が接続されている。後処理部２９は、記録媒体Ｐに後処理を施すステープル２６及びパンチ２７と、画像制御部３４からプリンタ制御部３５を介して入力される信号に従ってステープル２６及びパンチ２７の動作を統括的に制御する後処理制御部４４とから構成されている。後処理制御部４４は、後処理制御部４４が画像制御部３４からプリンタ制御部３５を介して入力する後処理の信号に応じ、記録媒体Ｐを搬送経路に沿ってステープル２６又はパンチ２７に搬送し、記録媒体Ｐに所定の後処理を施して排出するように制御する。
【００５１】
本体部２８には、ネットワークＮに接続される外部装置２から画像形成装置１に入力されるプリントジョブの管理及び制御を行うプリンタコントローラ部３０が、接続されている。このプリンタコントローラ部３０によって、画像形成装置１がネットワークプリンタとして用いられるときに、外部装置２が送信した原稿画像データや出力する際の処理条件等のデータが、画像形成装置１の動作状態に応じたプリントジョブとして割り振られるようになっている。
【００５２】
プリンタコントローラ部３０には、ＮＩＣ（Network Interface Card）やモデム等からなる通信インターフェイスであるＬＡＮＩＦ（Local Area Network InterFace）４５が、ネットワークＮを介して外部装置２と相互に送受信が可能に接続されている。
ＬＡＮＩＦ４５には、プリンタコントローラ部３０の各部の動作を統括的に制御するコントローラ制御ＣＰＵ４６が、接続されている。このコントローラ制御ＣＰＵ４６により、ＬＡＮＩＦ４５により受信されたデータの画像メモリ４７（後述）への格納や、画像メモリ４７からのデータの読み出しが制御されるようになっている。
また、プリンタコントローラ部３０には、ＤＲＡＭにより構成され、外部装置２からＬＡＮＩＦ４５を介して受信したデータを一時的に格納する画像メモリ４７が設けられている。
コントローラ制御ＣＰＵ４６、ＬＡＮＩＦ４５及び画像メモリ４７には、コントローラ制御ＣＰＵ４６により実行制御される各種処理のプログラム等が一時的に格納されるＤＲＡＭ制御ＩＣ４８が接続されている。このＤＲＡＭ制御ＩＣ４８には、本体部２８のＤＲＡＭ制御ＩＣ３６がＰＣＩ（Peripheral Components Interconnect）バス４９により接続されており、コントローラ制御ＣＰＵ４６によってプリントジョブがＰＣＩバス４９を介してＤＲＡＭ制御ＩＣ３６に送信され、格納されるようになっている。
【００５３】
図３に、ＬＣＤ４に表示され、ユーザが挿入モードを設定する挿入モード設定画面５０を示す。挿入モード設定画面５０の表示は、操作制御部３１により制御されている。
挿入モード設定画面５０には、挿入画像データを選択する挿入画像データ選択欄５１が設けられており、挿入画像データ選択欄５１の矢印５１ａを押下すると、画像データを挿入しない、入力された画像データを挿入する、予めＨＤＤ部５に格納された画像データを挿入する、のいずれかを選択するようになっている。
挿入画像データ選択欄５１の下部には、入力画像データを選択する入力画像データ選択欄５２が設けられており、入力画像データ選択欄５２の矢印５２ａを押下すると、入力された画像データの何ページ目を挿入画像データとするか選択するようになっている。
入力画像データ選択欄５２の下部には、ＨＤＤ部５に予め保存されている画像データを選択するＨＤＤ画像データ選択欄５３が設けられており、ＨＤＤ画像データ選択欄５３の矢印５３ａを押下すると、挿入画像データ選択欄５１で予めＨＤＤ部５に格納された画像データを挿入画像データとすると選択したときに、用いる挿入画像データを予めＨＤＤ部５に格納された画像データから選択するようになっている。
ＨＤＤ画像データ選択欄５３の下部には、原稿画像データに挿入するページを指定するページ指定入力欄５４が設けられている。ページ指定入力欄５４の５４ａをチェックすると、原稿画像データに画像データを挿入することが有効になり、ページ指定入力欄５４に数字を入力すると、その入力された数字が、入力された画像データに挿入画像データを挿入する開始ページ及び終了ページに対応するようになっている。以下、画像データを挿入するページをＮページと称する。図３のページ指定入力欄５４には、２−１０と入力されている。これは、入力された画像データの２ページ目から１０ページまでの各ページの後に、挿入画像データを挿入するように指定するものである。
挿入モード設定画面５０の下部には、ＯＫボタン５５とキャンセルボタン５６とが設けられている。挿入モード設定画面５０の各選択肢で画像形成を実行したいときにはＯＫボタン５５を押下し、挿入モード設定画面５０の選択をキャンセルしたいときには、キャンセルボタン５６を押下するようになっている。
ＯＫボタン５５が押下されると、挿入モード設定画面５０により設定された条件の信号が画像制御部３４に送信されるようになっており、画像制御部３４がその設定条件に基づいて印刷画像データの出力を制御するようになっている。
【００５４】
なお、本実施例では、挿入モード設定画面５０により挿入モードが設定された例を示したが、これに限定されず、外部装置２により挿入モードが設定されるようにしても良い。
【００５５】
次に、本実施形態に係るプログラムの実施形態について説明する。
【００５６】
本実施形態に係るプログラムの画像形成手段は、記録媒体Ｐに画像を形成する画像形成装置１である。また、本実施形態に係るプログラムの設定手段は、挿入モードを設定する挿入モード設定画面５０である。さらに、本実施形態に係るプログラムの生成手段は、制御部３２である。
【００５７】
次に、本実施形態に係るプログラムを用いた画像形成装置の作用について説明する。
【００５８】
ユーザは、操作部３から、印刷処理に関して印刷部数、記録を行う転写紙の種類やサイズ、挿入モードや後処理の有無や種類等の設定情報の入力、及び印刷処理の開始指示の入力をする。
【００５９】
ユーザにより印刷処理の開始指示が入力されると、制御部３２は、ＡＤＦ部７を動作させて原稿を順次画像読取部６のプラテンガラス上に自動給紙させる。これと共に、スキャナ制御部３３は、ＣＣＤ１０を動作させて原稿の画像を読み取らせ、原稿画像データを生成させる。
【００６０】
画像制御部３４は、原稿画像データに各種設定条件の処理を施して印刷用画像データを生成する。挿入モードが設定されたときの印刷用画像データの生成手順について、図４から図７を参照しつつ詳説する。
【００６１】
図４に示すフローチャートは、入力した原稿画像データに基づいて印刷用画像データを生成するときに実行される処理である。
【００６２】
画像制御部３４は、原稿画像データが入力されると、図３に示した挿入モード設定画面を介してユーザが挿入モードを設定したか否かを判断する（ステップＳ１）。
【００６３】
画像制御部３４は、挿入モードが設定されていないと判断すると（ステップＳ１：Ｎｏ）、通常モードの印刷用画像データ取得処理を実行し（ステップＳ２）、終了する。
画像制御部３４は、挿入モードが設定されていると判断すると（ステップＳ１：Ｙｅｓ）、挿入画像データが入力された原稿画像データであること、その挿入画像データに指定した原稿画像データのページ数が、入力された画像データのページ数よりも大きくないこと、予めＨＤＤ部５に格納された画像データを挿入しないこと、の全てを満たすか否かを判断する（ステップＳ３）。
画像制御部３４は、ステップＳ３の全てが満たされていると判断すると（ステップＳ３：Ｙｅｓ）、１をＭに挿入し（ステップＳ４）、挿入モード印刷用画像データ取得処理を実行する（ステップＳ５）。ここで、Ｍとは、挿入ページによるページずれ補正値であり、詳細は、図７の挿入画像データ取得処理にて説明する。
画像制御部３４は、ステップＳ３のいずれかが満たされていないと判断すると（ステップＳ３：Ｎｏ）、Ｍに０を挿入し（ステップＳ６）、挿入モード印刷用画像データ取得処理を実行する（ステップＳ５）。
【００６４】
図５に、挿入モード印刷用画像データ取得処理（ステップＳ５）のフローチャートを示す。
【００６５】
挿入モード印刷用画像データ取得処理が開始されると、画像制御部３４は、画像処理が、印刷用画像データ２ページを１ページに集約する２ｉｎ１モードか否かを判断する（ステップＳ５１）。
画像制御部３４は、画像処理が２ｉｎ１モードであると判断すると（ステップＳ５１：Ｙｅｓ）、第一画像データ取得処理を実行する（ステップＳ５２）。
【００６６】
図６に、第一画像データ取得処理（ステップＳ５２）のフローチャートを示す。
第一画像データ取得処理が開始されると、画像制御部３４は、予めＨＤＤ部５に格納された画像データを挿入するか否かを判断する（ステップＳ５２１）。
画像制御部３４は、予めＨＤＤ部５に格納された画像データを挿入すると判断すると（ステップＳ５２１：Ｙｅｓ）、Ｎページの印刷用画像データ取得処理を実行し（ステップＳ５２２）、第一画像データ取得処理（ステップＳ５２）を終了させる。
また、画像制御部３４は、予めＨＤＤ部５に格納された画像データを挿入しないと判断すると（ステップＳ５２１：Ｎｏ）、（Ｎ＋Ｍ）ページの印刷用画像データ取得処理を実行し（ステップＳ５２３）、第一画像データ取得処理（ステップＳ５２）を終了させる。
【００６７】
制御部は、ステップＳ５２が終了すると、Ｎに（Ｎ＋１）を挿入し（ステップＳ５３）、挿入画像データ取得処理を実行する（ステップＳ５４）。
【００６８】
図７に、挿入画像データ取得処理（ステップＳ５４）のフローチャートを示す。
挿入画像データ取得処理が開始されると、画像制御部３４は、（Ｎ＋Ｍ）が（挿入指定ページ＋１）以下であるか否かを判断する（ステップＳ５４１）。
画像制御部３４は、（Ｎ＋Ｍ）が（挿入指定ページ＋１）以下であると判断すると（ステップＳ５４１：Ｎｏ）、（Ｎ＋Ｍ）ページの印刷用画像データ取得処理を実行する（ステップＳ５４２）。そして、画像制御部３４は、Ｎに（Ｎ＋１）を挿入し（ステップＳ５４３）、挿入画像データ取得処理（ステップＳ５４）を終了させる。
画像制御部３４は、（Ｎ＋Ｍ）が（挿入指定ページ＋１）以下でないと判断すると（ステップＳ５４１：Ｙｅｓ）、Ｆの値が０か否かを判断する（ステップＳ５４４）。ここで、Ｆとは、挿入判断ステータスであり、初期値が０に設定されている。
画像制御部３４は、Ｆが０ではないと判断すると（ステップＳ５４４：Ｎｏ）、Ｆに０の値を入力し（ステップＳ５４５）、ステップＳ５４２に戻る。
画像制御部３４は、Ｆが０であると判断すると（ステップＳ５４４：Ｙｅｓ）、Ｆに１の値を入力する（ステップＳ５４６）。
画像制御部３４は、１の値をＦに入力すると、予めＨＤＤ部５に格納された画像データを挿入するか否かを判断する（ステップＳ５４７）。
画像制御部３４は、予めＨＤＤ部５に格納されている画像データを挿入しないと判断すると（ステップＳ５４７：Ｎｏ）、入力された画像データの指定ページの画像データを取得し（ステップＳ５４８）、挿入画像データ取得処理（ステップＳ５４）を終了させる。
画像制御部３４は、予めＨＤＤ部５に格納されている画像データを挿入すると判断すると（ステップＳ５４７：Ｙｅｓ）、予めＨＤＤ部５に格納されている画像データのうち指定されたものを取得し（ステップＳ５４９）、挿入画像データ取得処理（ステップＳ５４）を終了させる。
【００６９】
画像制御部３４は、画像処理が２ｉｎ１モードではないと判断すると（ステップＳ５１：Ｎｏ）、挿入画像データ取得処理を実行する（ステップＳ５４）。
【００７０】
画像制御部３４は、挿入画像データ取得処理（ステップＳ５４）が終了すると、挿入モード印刷用画像データ取得処理（ステップＳ５）を終了させる。
【００７１】
そして、画像制御部３４は、その他入力された設定情報に基づいて印刷用画像データを生成し、書込処理部４３にて印刷用画像データをプリント画像データに変換し、プリント画像データをプリンタ部１１に出力する。
【００７２】
プリンタ部１１では、プリンタ制御部３５が、印刷用画像データに基づいて画像形成部１４に印刷用画像データに基づいた画像を記録媒体Ｐに形成させる。ユーザにより後処理が設定されているときは、該当する後処理ユニット２５に記録媒体Ｐが搬送され、後処理が行われる。
【００７３】
図８から図１２に、挿入モードにより記録媒体Ｐ上に画像を形成した例を示す。
【００７４】
図８に、入力した画像データの最初のページ（１ページ）を挿入画像データとし、入力した画像データの２ページ目から６ページ目までの各ページ毎に挿入画像データを挿入し、２ｉｎ１モードで片面に出力した例を示す。図８（ａ）は、入力した画像データである。図８（ｂ）は、出力した画像データであり、出力した画像データのページ内に示す数は、入力した画像データのページ数である。
【００７５】
図９に、入力した画像データの最後のページ（６ページ）を挿入画像データとし、入力した画像データの１ページ目から５ページ目までの各ページ毎に挿入画像データを挿入し、２ｉｎ１モードで片面に出力した例を示す。図９（ａ）は、入力した画像データである。図９（ｂ）は、出力した画像データであり、出力した画像データのページ内に示す数は、入力した画像データのページ数である。
【００７６】
図１０に、予めＨＤＤ部５に格納されている画像データを挿入画像とし、入力した画像データの１ページ目から６ページ目までの各ページ毎に挿入画像データを挿入し、２ｉｎ１モードで片面に出力した例を示す。図１０（ａ）は、入力した画像データと挿入画像データである。図１０（ｂ）は、出力した画像データであり、出力した画像データのページ内に示すＨＤＤは、挿入画像データが予めＨＤＤ部５に格納されていたことを示す。
【００７７】
図１１に、予めＨＤＤ部５に格納されている画像データを挿入画像データとし、入力した画像データの３ページ目から６ページ目までの各ページ毎に挿入画像データを挿入し、２ｉｎ１モードで片面に出力した例を示す。図１１（ａ）は、入力した画像データと挿入画像データである。図１１（ｂ）は、出力した画像データであり、出力した画像データのページ内に示すＨＤＤは、挿入画像データが予めＨＤＤ部５に格納されていたことを示す。
【００７８】
図１２に、予めＨＤＤ部５に格納されている画像データを挿入画像データとし、入力した画像データの１ページ目から６ページ目までの各ページ毎に挿入画像データを挿入し、両面に出力した例を示す。図１２（ａ）は、入力した画像データと挿入画像データである。図１２（ｂ）は、出力した画像データであり、出力した画像データのページ内に示すＨＤＤは、挿入画像データが予めＨＤＤ部５に格納されていたことを示す。
【００７９】
以上により、本発明による画像形成装置は、入力された画像データに任意の画像データを任意の箇所に１ページ毎挿入することが容易にできるので、予め用意した原稿の任意のページに任意の画像データを１ページ毎に挿入した印刷物を容易に作成することができる効果を奏する。また、この任意の画像データとして、入力された画像データ、予めＨＤＤ部５に保存された画像データのいずれをも指定することができるため、ユーザの要望にあわせた画像形成をすることができる効果を奏する。
【図面の簡単な説明】
【００８０】
【図１】本発明に係る画像形成装置の概略構成を示す断面図である。
【図２】本発明に係る画像形成装置の制御構成を示したブロック図である。
【図３】本発明に係る挿入モード設定画面の例を示す図である。
【図４】本発明に係る画像形成装置に入力された画像データを記録媒体に画像形成するフローチャートである。
【図５】本発明に係る画像形成装置の挿入モード出力画像取得処理のフローチャートである。
【図６】本発明に係る画像形成装置の第一画像取得処理のフローチャートである。
【図７】本発明に係る画像形成装置の挿入画像取得処理のフローチャートである。
【図８】本発明に係る画像形成装置の印刷用画像データの例である。図８（ａ）は、入力した画像データであり、図８（ｂ）は、出力した画像データの例である。
【図９】本発明に係る画像形成装置の印刷用画像データの例である。図９（ａ）は、入力した画像データであり、図９（ｂ）は、出力した画像データの例である。
【図１０】本発明に係る画像形成装置の印刷用画像データの例である。図１０（ａ）は、入力した画像データであり、図１０（ｂ）は、出力した画像データの例である。
【図１１】本発明に係る画像形成装置の印刷用画像データの例である。図１１（ａ）は、入力した画像データであり、図１１（ｂ）は、出力した画像データの例である。
【図１２】本発明に係る画像形成装置の印刷用画像データの例である。図１２（ａ）は、入力した画像データであり、図１２（ｂ）は、出力した画像データの例である。
【符号の説明】
【００８１】
１     画像形成装置
３     操作部
５     ＨＤＤ部
９     スキャナ部
１１   プリンタ部
３２   制御部
３４   画像制御部
５０   挿入モード設定画面
【図１】
2007182022.tif 000003
【図２】
2007182022.tif 000004
【図３】
2007182022.tif 000005
【図４】
2007182022.tif 000006
【図５】
2007182022.tif 000007
【図６】
2007182022.tif 000008
【図７】
2007182022.tif 000009
【図８】
2007182022.tif 000010
【図９】
2007182022.tif 000011
【図１０】
2007182022.tif 000012
【図１１】
2007182022.tif 000013
【図１２】
2007182022.tif 000014